(57)【特許請求の範囲】
【請求項１】
表面に画像が形成される感光体ドラムと、この感光体ドラムの表面を帯電させる帯電手段と、前記感光体ドラムの表面にレーザを照射して静電潜像を作成する露光手段と、前記感光体ドラム上の静電潜像を複数の色ごとに順次重ね合わせて現像する現像手段とを備えた湿式電子写真印刷機のレーザ出力制御装置であって、
前記複数の色の組み合わせごとにレーザ出力データが記憶されたレーザ出力データ記憶部と、
描画データが、画素ごとに、前記複数の色の組み合わせを示す色組み合わせデータとして記憶された色組み合わせデータ記憶部と、
描画する画素ごとに前記複数の色の組み合わせに対応するレーザ出力データを選出して前記レーザを制御するレーザ制御部と、を備えて構成され、
前記レーザ制御部は、現像する前記複数の色ごとに、前記色組み合わせデータ記憶部内から前記色組み合わせデータとして前記現像する色を含む画素を選択し、選択した画素の前記色の組み合わせに対応するレーザ出力データを前記レーザ出力データ記憶部内から選出し、選出したレーザ出力データを前記選択した画素のレーザ出力データとすることを特徴とする湿式電子写真印刷機のレーザ出力制御装置。
【請求項２】
請求項１に記載の湿式電子写真印刷機のレーザ出力制御装置において、
前記複数の色は少なくとも２色以上で構成されていることを特徴とする湿式電子写真印刷機のレーザ出力制御装置。
【請求項３】
表面に画像が形成される感光体ドラムと、この感光体ドラムの表面を帯電させる帯電手段と、前記感光体ドラムの表面にレーザを照射して静電潜像を作成する露光手段と、前記感光体ドラム上の静電潜像を複数の色ごとに順次重ね合わせて現像する現像手段とを備え、レーザ制御部により前記レーザを制御する湿式電子写真印刷機のレーザ出力制御方法であって、
レーザ出力データ記憶部に前記複数の色の組み合わせごとにレーザ出力データを記憶し、色組み合わせデータ記憶部に描画データを画素ごとに前記複数の色の組み合わせを示す色組み合わせデータとして記憶し、前記レーザ制御部により、現像する前記複数の色ごとに、前記色組み合わせデータ記憶部内から前記色組み合わせデータとして前記現像する色を含む画素を選択し、選択した画素の前記色の組み合わせに対応するレーザ出力データを前記レーザ出力データ記憶部内から選出し、選出したレーザ出力データを前記選択した画素のレーザ出力データとすることを特徴とする湿式電子写真印刷機のレーザ出力制御方法。
【発明の詳細な説明】
【０００１】
【発明の属する技術分野】
本発明は、感光体ドラムの表面に形成された静電潜像に対して液体トナーによる現像を行い、その現像を印刷用紙上に転写する湿式電子写真印刷機のレーザ出力制御装置およびその制御方法に関する。
【０００２】
【背景技術】
従来より、一定速度で回転する感光体ドラム表面に、例えばＹ（イエロー）、Ｍ（マゼンダ）、Ｃ（シアン）、Ｋ（ブラック）等の複数の色を順々に重ねて描画を行うとともに、多色の液体トナーを順次組み合わせて形成されたイメージ・オン・イメージによる画像を、転写ローラを介して当該転写ローラとバックアップローラとの間に配置される印刷用紙上に転写する湿式電子写真印刷機が知られている。
この印刷機は、感光性を持つ感光体ドラム表面を帯電させる帯電手段と、描画データに基づいて感光体ドラムを露光走査して描画を行い、静電潜像を作成する露光手段と、感光体ドラム上の静電潜像を現像する現像手段とを備えており、現像手段は、感光体ドラムに対して多色の液体トナーを順次供給する複数の現像ローラを含み構成されている。
【０００３】
一方、露光手段は、例えば、レーザ発光源、ポリゴンスキャナ等を備えて構成され、レーザ発光源から出力されたレーザが、一定速度で回転するポリゴンスキャナに入射された後反射し、ｆθレンズを経て感光体ドラム上を走査することにより描画が行われるようになっている。
【０００４】
【発明が解決しようとする課題】
ところで、感光体ドラム上にイメージ・オン・イメージによる画像を形成する際、感光体ドラム上の帯電位に対し、レーザで露光された部位の電位（静電潜像）が現像ローラ電位以下となることで、トナーの泳動（電気泳動）が発生し、現像が行われる。
例えば、１色目の描画の際は、感光体ドラム上にはレーザ波長に対して有する感度特性で決定されるレーザ露光電位が得られる。しかし、２色目の描画の際には、１色目で露光されていない部位に対しては感光体ドラム上にレーザ波長に対して有する感度特性で決定されるレーザ露光電位が得られるが、１色目で露光されている部位には、１色目のトナーが存在するため、レーザ出力パワーを調整せずに出力すると、トナーによるレーザエネルギーの吸収、反射等があり、所望のレーザ露光電位を得られないおそれがある。その結果、鮮明な画像を得ることができなくなり、印刷品質の悪化を招くという問題が生じる。
【０００５】
また、レーザ出力を調整するためには、各色ごとのレーザ出力データのデータを保持しておき、そのデータに基づいて各色のレーザ出力データを決めなければならない。ここで、レーザ出力の分解能が、例えば２５６階調であれば、１ドット（画素）あたり８ビットのデータが必要である。そのため、１画素にイエロー等、例えば８色を重ね合わせる際には、１画素につき、８ビット×８色＝６４ビットのデータを持たなければならない。従って、印刷イメージが大きくなればなるほど、また、分解能が大きくなればなるほど、レーザ出力のデータを保持するための大きな記憶装置を持つ必要がある。
【０００６】
本発明の一つの目的は、描画位置に対して色を重ねる場合、重ねない場合等、条件によってレーザパワーを制御し、鮮明な画像を得ることができる湿式電子写真印刷機のレーザ出力制御装置およびその制御方法を提供することにある。
【０００７】
本発明の他の目的は、レーザ出力のデータを保持する記憶装置の容量を削減することができる湿式電子写真印刷機のレーザ出力制御装置およびその制御方法を提供することにある。
【０００８】
【課題を解決するための手段】
請求項１に記載の発明は、表面に画像が形成される感光体ドラムと、この感光体ドラムの表面を帯電させる帯電手段と、前記感光体ドラムの表面にレーザを照射して静電潜像を作成する露光手段と、前記感光体ドラム上の静電潜像を複数の色ごとに順次重ね合わせて現像する現像手段とを備えた湿式電子写真印刷機のレーザ出力制御装置であって、前記複数の色の組み合わせごとにレーザ出力データが記憶されたレーザ出力データ記憶部と、描画データが、画素ごとに、前記複数の色の組み合わせを示す色組み合わせデータとして記憶された色組み合わせデータ記憶部と、描画する画素ごとに前記複数の色の組み合わせに対応するレーザ出力データを選出して前記レーザを制御するレーザ制御部と、を備えて構成され、前記レーザ制御部は、現像する前記複数の色ごとに、前記色組み合わせデータ記憶部内から前記色組み合わせデータとして前記現像する色を含む画素を選択し、選択した画素の前記色の組み合わせに対応するレーザ出力データを前記レーザ出力データ記憶部内から選出し、選出したレーザ出力データを前記選択した画素のレーザ出力データとすることを特徴とする湿式電子写真印刷機のレーザ出力制御装置である。
【０００９】
このような本発明では、描画データの画像を複数の色を重ね合わせて現像するにあたり、現像する色のレーザの出力値は、描画データの画素毎に記憶された色組み合わせデータを参照し、そこに指定された色の組み合わせに対応するレーザ出力データをレーザ出力データ記憶部内から選出すればよいので、色を重ねる場合、重ねない場合等、条件の変化に対応してレーザパワーを変化させることができ、これにより、鮮明な画像を得ることができる。
【００１０】
また、描画する色のレーザの出力値は、レーザ出力データ記憶部を参照にして決めればよく、このレーザ出力データは、描画データを各画素ごとに形成した色の組み合わせデータに対応しているので、例えば、レーザ出力の分解能が２５６階調である場合に必要となる１画素あたり８ビットのデータが不要となり、レーザ出力のデータを保持する記憶装置の容量を削減することができる。
【００１１】
請求項２に記載の発明は、請求項１に記載の湿式電子写真印刷機のレーザ出力制御装置において、前記複数の色は少なくとも２色以上で構成されていることを特徴とするものである。
このような本発明では、多色刷りの印刷が可能となり、ユーザーの多様な要望に対応することができる。
【００１２】
請求項３に記載の発明は、表面に画像が形成される感光体ドラムと、この感光体ドラムの表面を帯電させる帯電手段と、前記感光体ドラムの表面にレーザを照射して静電潜像を作成する露光手段と、前記感光体ドラム上の静電潜像を複数の色ごとに順次重ね合わせて現像する現像手段とを備え、レーザ制御部により前記レーザを制御する湿式電子写真印刷機のレーザ出力制御方法であって、レーザ出力データ記憶部に前記複数の色の組み合わせごとにレーザ出力データを記憶し、色組み合わせデータ記憶部に描画データを画素ごとに前記複数の色の組み合わせを示す色組み合わせデータとして記憶し、前記レーザ制御部により、現像する前記複数の色ごとに、前記色組み合わせデータ記憶部内から前記色組み合わせデータとして前記現像する色を含む画素を選択し、選択した画素の前記色の組み合わせに対応するレーザ出力データを前記レーザ出力データ記憶部内から選出し、選出したレーザ出力データを前記選択した画素のレーザ出力データとすることを特徴とする湿式電子写真印刷機のレーザ出力制御方法である。
【００１３】
このような本発明では、前記請求項１と同様の、色を重ねる場合、重ねない場合等、条件の変化に対応してレーザパワーを変化させることができ、また、レーザ出力のデータを保持する記憶装置の容量を削減することができるという作用効果を得ることができる。
【００１４】
【発明の実施の形態】
以下、図面に基づいて、本発明の一実施形態を説明する。
図１には、本実施形態の湿式電子写真印刷機のレーザ出力制御装置を備えた湿式電子写真印刷機１の全体が示されている。
この湿式電子写真印刷機１は、印刷画像データに基づいて作成された描画データを、例えば、Ｙ（イエロー）、Ｍ（マゼンダ）、Ｃ（シアン）、Ｋ（ブラック）、特色等の色を順々に重ねてイメージを形成するイメージ・オン・イメージにより形成された画像の印刷を行うもので、画像が形成される感光体ドラム２を備えている。
【００１５】
この感光体ドラム２の近傍には、当該感光体ドラム２に静電気電荷を帯びさせる帯電手段としての帯電器３と、帯電した感光体ドラム２に一定時間レーザを当て、その感光体ドラム２に描画を行い静電潜像を形成する露光手段としての露光器４とが設けられている。
【００１６】
感光体ドラム２の例えば下方には、感光体ドラム２に形成された静電潜像を液体トナーで現像する現像手段１９が設けられている。
この現像手段１９は、現像機本体５と、この現像機本体５に設けられる現像ローラ１５とを備えて構成されている。
【００１７】
現像機本体５は、例えば８色の液体トナーをそれぞれ別個に収容するトナー収容室５Ｂ，５Ｃ…５Ｈ，５Ｉを有している。図中最左位置のトナー収容室５Ｂには、プロセスカラー４色のうち１色目の、例えば黄色の液体トナー、トナー収容室５Ｃには２色目の、例えば紅色の液体トナー、トナー収容室５Ｈには７色目の、例えば特色３色の液体トナー、図中最右位置のトナー収容室５Ｉには８色目の、例えば特色４色の液体トナーが、それぞれ収容されている。図中トナー収容室５Ｃと５Ｈとの間には、図示しないが第３番目〜第６番目のトナー収容室が配置されており、各トナー収容室には、順に例えば藍色の液体トナー、例えば黒色の液体トナー、例えば特色１色の液体トナー、例えば特色２色の液体トナーが、それぞれ収容されている。
なお、特色とは、例えば金赤等、特殊な色のことである。
【００１８】
現像ローラ１５は、各トナー収容室５Ｂ等に対応した複数の現像ローラ１５Ｂ，１５Ｃ…１５Ｈ，１５Ｉを備え、これら現像ローラ１５Ｂ，１５Ｃ…１５Ｈ，１５Ｉにより、各収容室５Ｂ，５Ｃ…５Ｈ，５Ｉ内の液体トナーをそれぞれ感光体ドラム２に供給することができるようになっている。
これらの各現像ローラ１５Ｂ，１５Ｃ…１５Ｈ，１５Ｉは、現像機移動モータ１１で現像機移動機構１２を駆動させることにより、現像位置へ位置決めするようになっている。また、各現像ローラ１５Ｂ，１５Ｃ…１５Ｈ，１５Ｉの駆動は、現像ローラ駆動モータ１７により、感光体ドラム２に対して所定の固定速度比を維持して回転される。
【００１９】
感光体ドラム２の例えば上方には、当該感光体ドラム２表面の印刷画を圧力転写される転写ローラ６が配置されている。また、転写ローラ６の上方には、当該転写ローラ６を上方からバックアップして転写ローラ６のたわみによる押圧の逃げを防ぎ、全体に強い印圧を加え、転写ローラ６との間に挿入される印刷紙Ｗに印刷を行うバックアップローラ７が設けられ、さらに、以上の感光体ドラム２、転写ローラ６等の駆動および印刷機のレーザ出力制御装置３０（図３参照）を含む印刷機１全体を制御する制御手段２０が設けられている。
【００２０】
感光体ドラム２にはサーボモータ８、転写ローラ６にはサーボモータ９、バックアップローラ７にはサーボモータ１０がそれぞれ設けられており、これらのサーボモータ８，９，１０の駆動により、感光体ドラム２、転写ローラ６およびバックアップローラ７は、制御手段２０に制御されて同期駆動するように構成されている。
【００２１】
露光器４は、図２に示すように、一定速度で回転するポリゴンスキャナー９１と、このポリゴンスキャナー９１からのレーザを集光するｆθレンズ９２と、ポリゴンスキャナー９１にレーザを入射させるレーザ発光源９３とを含み構成され、レーザ発光源９３から出力されたレーザは、ポリゴンスキャナー９１の回転により走査するとともに、ｆθレンズ９２を経由し、印刷するデータ（描画データ）による感光体ドラム２上への描画は、描画原点Ｃから描画終了位置である描画終了点Ｄまでの間で行われる。
【００２２】
このようなレーザ発光源９３には、図３に示すレーザ出力制御装置３０により制御されたレーザ出力データが出力され、色が重なった部分でも鮮明な画像を得ることができるようになっている。
レーザ出力制御装置３０は、印刷するデータ（描画データ）を所有するＰＣ部４０と、メインコントロール部５０と、レーザ駆動部６０とを備えて構成されている。メインコントロール部５０は、全体を管理するレーザ制御部としてのＣＰＵ部５１、描画データを受け取るインターフェース部５２、ＣＰＵ部５１によりバス５３を介して交信され描画データを記憶しておく色組合せデータ記憶部５４、色の組み合わせデータの各色に対応するレーザの出力値データを記憶しておくレーザ出力データ記憶部５５、およびレーザ出力データをレーザ駆動部６０に送信するレーザ出力インターフェース部５６を含み構成されている。
レーザ駆動部６０は、前記レーザ発光源９３を有している。
【００２３】
ＰＣ部４０には、外部のＤＴＰ環境で作成された画像データが、ＰＳ、ＥＰＳ、ＰＤＦ等のフォーマットを経由して入力され、このＰＣ部４０ではＲＩＰ処理が施される。ＲＩＰ処理を行う際、別途指示された解像度（６００ｄｐｉ、１０００ｄｐｉ、１２００ｄｐｉ、２４００ｄｐｉ等）となるように処理され、併せて分版処理が行われて、図５に示すような、Ｙ色用描画データ、Ｍ色用描画データ、Ｃ色用描画データ、Ｋ色用描画データ、および特色１〜特色４用描画データの描画データＢが形成される。
【００２４】
これらの各データは、次のようにして作成される。
まず、印刷するデータである元画像（描画データ）は、所定の解像度に従い、図４に示すように、画素単位に分割されて画素データＡとされる。この図４において、１→２→３→→１６の画素方向は主走査方向となり、例えば、画素１は、図２において描画開始位置Ｃに対応し、例えば、画素１６は、図２において描画終了位置Ｄに対応している。また、副走査方向は、１→１７→３３→→１４５画素の方向となる。
ＲＩＰ処理、分版処理により、元画像は上記画素単位に対応して、その画素にＹ、Ｍ、Ｃ、Ｋの色成分が含まれている場合に「１」を、色成分が含まれていない場合に「０」を、それぞれその画素位置に設定し、図５に示すような前記描画データを作成する。つまり、この描画データは、各色ごとに画素位置が決められたデータである
【００２５】
図５に示す描画データを作成する際、各色の描画データは、データ構成をバイトとし、１バイト目は、ビット７を画素１に、ビット６を画素２、…ビット０を画素８に対応させる。２バイト目は、ビット７を画素９に、ビット６を画素１０、…ビット０を画素１６に対応させる。以下、順次３バイト目、４バイト目に各画素を対応させる。以上により作られたデータが各色の描画データとなる（１画素は１ドットとなる）。また、特色１〜特色４については図示しないが、上記と同じように処理される。
【００２６】
図５の描画データにおいて、黒い四角部は描画されている部分、つまり、色成分が含まれている「１」の部分を表し、白い四角部は描画されていない部分、つまり、色成分が含まれていない「０」の部分を表す。
例えば、１画素目と３画素目および５画素目に、Ｙが描画されており、１画素目と２画素目および７画素目に、特色３が描画されている。
この描画データの段階では、各色の画素ごとに８ビット分のレーザの出力値を決める必要がある（レーザ出力の分解能が２５６階調の場合）。
以上のようにして作成された各色の描画データが、ＰＣ部４０からメインコントロール部５０のインターフェース部５２に入力されるようになっている。
【００２７】
以上の図５の色ごとに画素位置が決められた描画データを、画素の並び順のデータに変更した色組合せデータＣが図６に示されている。
この色組合せデータＣでは、各画素ごとの色の組合せ状態が示されており、例えば、１画素目には、Ｙ、Ｍ、Ｃ、Ｋ、特１、特２、特３、特４の、８色すべての色が組み合わされた状態が示され、例えば、３画素目には、Ｙ、Ｃ、特１、特４の色が組み合わされた状態が示されている。なお、図６には８画素目までの色の組合せしか記載されていないが、図４に対応して、１６０画素までの色の組合せ状態が示されるようになっている。
このような色組合せデータは、ＣＰＵ部５１で編集された後、バス５３を介して前記色組合せデータ記憶部５４に送信されるとともに、その記憶部５４に格納される。
【００２８】
図７には、前記レーザ出力データ記憶部５５を構成するテーブルの内容が示されている。
このテーブルには、８色の色のすべての組合せが示され、かつ、それぞれの色に対応するレーザの出力値が示されたレーザ出力データＤが格納されている。
図７において、テーブルアドレス欄５５Ａには、８色分のテーブルアドレスとして、０〜２５５までの２５６が設けられている。また、テーブルアドレス欄５５Ａの例えば隣には、出力データ欄５５Ｂが設けられ、この出力データ欄５５Ｂには、各テーブルアドレス０〜２５５に対応する出力データ０，１００，１２０等が予め設定されている。
なお、出力データは、感光体ドラム２の回転速度、液体トナーの特性等に応じて、かつ、経験に基づいて、予め決められ、かつ、設定されている。
【００２９】
このようなテーブルの使用方法は、ある描画位置において、例えばＹ描画時（Ｙ色に対応したbit0を参照）に、Ｙ描画データが「０」のときテーブルアドレス欄５５Ａは「０」であり、Ｙ描画データだけが「１」のときテーブルアドレス欄５５Ａは「１」を選出し、そのアドレス「１」の出力データ、例えば１００を参照する。
例えばＭ描画時（既に描画済のＹ色に対応したbit0およびこれから描画するM色に対応したbit1を参照）に、Ｍ描画データが「０」で他の色も「０」のときテーブルアドレス欄５５Ａは「０」であり、Ｍ描画データが「１」でかつその画素位置にＹが「１」（描画されている）の場合、テーブルアドレス欄５５Ａは「３」を選出し、そのアドレス「３」の出力データ、例えば２２０を参照する。Ｍ描画データが「１」でかつその画素位置にＹが「０」（描画されていない）場合は、テーブルアドレス欄５５Ａは「２」を選出し、そのアドレス「２」の出力データ、例えば１２０を参照する。
【００３０】
例えばＣ描画時（Ｙ色、M色、C色に対応したbit0〜bit2を参照）に、Ｃ描画データが「０」で他の色も「０」のときテーブルアドレス欄５５Ａは「０」であり、Ｃ描画データが「１」でかつその画素位置にＹが描画され、Ｍが描画されない場合、テーブルアドレス欄５５Ａは「５」を選出し、そのアドレス「５」の出力データ、例えば２３０を参照する。Ｃ描画データが「１」でかつその画素位置にＹが描画され、Ｍも描画される場合は、テーブルアドレス欄５５Ａは「７」を選出し、そのアドレス「７」の出力データ、例えば２３５を参照する。Ｃ描画データが「１」でかつその画素位置にＹが描画されておらずＭが描画される場合は、テーブルアドレス５５Ａを選出し、そのアドレス「６」の出力データ、例えば２３０を参照する。
以降、同様にして、Ｂ描画、特色１〜特色４の描画の場合も使用される。
また、図７では、テーブルアドレスは１８番までしか記載されていないが、実際は０〜２５５番までの２５６アドレスを有する。
【００３１】
次に、本実施形態の作用を説明する。
印刷機１の運転が開始され、感光体ドラム２の表面が帯電された後、感光体ドラム２が回転し露光位置に達したとき、露光手段４により感光体ドラム２の表面に静電潜像が形成される。
【００３２】
静電潜像を形成するためにレーザを出力する場合において、メインコントロール部５０のＣＰＵ部５１は、色組合せデータ記憶部５４より、図６に示すような色組合せデータＣを呼び出し、描画する色のレーザ出力データを求める。
この際、ＣＰＵ部５１は、描画する色を、色組み合わせデータ記憶部５４の各画素の色組み合わせデータ内から選択するとともに、その色のある画素を選択し、選択した画素の色の組合せを、レーザ出力データ記憶部５５に記憶された各画素ごとの色の組み合わせの中から選出するとともに、選出した色に対応するレーザ出力データを選出し、そのレーザ出力データをレーザ出力インターフェース部５６に出力する。
レーザ出力データは、レーザ出力インターフェース部５６から、レーザ駆動部６０のレーザ発光源９３に入力され、これにより、所定の出力値のレーザがポリゴンスキャナ９１で反射され、感光体ドラム２の表面を走査し、鮮明な静電潜像が形成される。
【００３３】
以上のような実施形態では、次のような効果が得られる。
(1) 描画する色のレーザの出力値は、描画する色を、色組み合わせデータ内から選択するとともに、描画する色が組み込まれた画素を選択し、選択した画素と同じ色の組合せの画素をレーザ出力データ記憶部内から選出して描画する色のレーザ出力データとすればよいので、色を重ねる場合、重ねない場合等、条件の変化に対応してレーザパワーを変化させることができ、これにより、鮮明な画像を得ることができる。
【００３４】
(2) 描画する色のレーザの出力値は、複数の色の組み合わせごとに各色についてのレーザ出力データが記憶されたレーザ出力データ記憶部５５を参照にして決めればよく、このレーザ出力データは、描画データＡを各画素ごとに形成した色の組み合わせデータＢに対応しているので、例えば、レーザ出力の分解能が２５６階調である場合に必要となる１ドットあたり８ビットのデータが不要となるので、データを１／８に削減することができ、これにより、レーザ出力のデータを保持する記憶装置の容量を削減することができる。
【００３５】
(3) 本実施形態の印刷機１は、Ｙ、Ｍ等、８色の色を適宜重ね合わせて描画するので、多色刷りの印刷が可能となり、ユーザーの多様な要望に対応することができる。
(4) レーザ出力データ記憶部５５には、８色を組み合わせる際のすべての組合せに対応することができるようにレーザ出力データが設定されているので、描画する色に対してレーザ出力データを決められないということがない。
【００３６】
なお、本発明は、前記実施形態に限定されるものではなく、本発明の目的を達成できるものであれば、次のような変形形態でもよいものである。
すなわち、前記実施形態の印刷機は、８色の色を重ね合わせて描画する印刷機としたが、これに限らず、例えば前記特色１ないし特色４を除いた４色を重ね合わせて描画する印刷機であってもよい。
【００３７】
【発明の効果】
本発明の湿式電子写真印刷機のレーザ出力制御装置およびその制御方法によれば、描画する色のレーザの出力値は、描画する色を、色組み合わせデータ内から選択するとともに、描画する色が組み込まれた画素を選択し、選択した画素と同じ色の組合せの画素をレーザ出力データ記憶部内から選出し、そのレーザ出力データ記憶部内の画素の中から描画する色と同じ色を選出して、その色に対応するレーザ出力データを選び出して、描画する色のレーザ出力値とすればよいので、色を重ねる場合、重ねない場合等、条件の変化に対応してレーザパワーを変化させることができ、これにより、鮮明な画像を得ることができる。
【００３８】
また、描画する色のレーザの出力値は、複数の色の組み合わせごとに各色についてのレーザ出力データが記憶されたレーザ出力データ記憶部を参照にして決めればよく、このレーザ出力データは、描画データを各画素ごとに形成した色の組み合わせデータに対応しているので、例えば、レーザ出力の分解能が２５６階調である場合に必要となる１画素あたり８ビットのデータが不要となり、レーザ出力のデータを保持する記憶装置の容量を削減することができる。
【図面の簡単な説明】
【図１】本発明の一実施形態の湿式電子写真印刷機を示す全体図である。
【図２】前記実施形態の露光手段と感光体ドラムとの関係を示す図である。
【図３】前記実施形態のレーザ出力制御装置を含む湿式電子写真印刷機の制御手段を示す図である。
【図４】前記実施形態の元画像を画素単位で示す場合のデータ図である。
【図５】図４のデータに基づいて形成された各色ごとに画素位置が決められたデータを示す図である。
【図６】図５のデータを画素の並び順のデータに変更した色組合せデータを示す図である。
【図７】前記実施形態のレーザ出力データ記憶部の内容を示す図である。
【符号の説明】
１    印刷機
２    感光体ドラム
３    帯電器
４    露光器
６    転写ローラ
７    バックアップローラ
１９  現像手段
３０  レーザ制御部
４０  ＰＣ部
５０  メインコントロール部
５１  ＣＰＵ部
５４  色組合せデータ記憶部
５５  レーザ出力データ記憶部
６０  レーザ駆動部
９３  レーザ発光源
【図１】
0004630479.tif 000002
【図２】
0004630479.tif 000003
【図３】
0004630479.tif 000004
【図４】
0004630479.tif 000005
【図５】
0004630479.tif 000006
【図６】
0004630479.tif 000007
【図７】
0004630479.tif 000008